(57)【要約】【課題】布団をやんわりと押さえて固定することができる布団挟みを提供する。【解決手段】互いに回動可能に連結され、閉じ方向へ付勢されている一対のアーム１０の先端部に挟み部２０が相対向して設けられた布団挟みにおいて、挟み部材２０を放射形状（手の平形状）にする。挟み部材２０は、アーム１０よりも軟らかくかつスポンジよりも硬い材料で構成する。アームの一部１６を、一対の挟み部材同士の対向面２１よりも僅かに突出させ、この突出部１６同士を当接可能とする。【選択図】図１
2005102828.tif 000002
【特許請求の範囲】
【請求項１】
互いに回動可能に連結され、閉じ方向へ付勢されている一対のアームと、これら一対のアームの先端部に相対向して設けられた一対の挟み部材とを有する布団挟みであって、
前記挟み部材が放射形状に構成されていることを特徴とする布団挟み。
【請求項２】
互いに回動可能に連結され、閉じ方向へ付勢されている一対のアームと、これら一対のアームの先端部に相対向して設けられた一対の挟み部材とを有する布団挟みであって、
前記挟み部材が手のひら形状に構成されていることを特徴とする布団挟み。
【請求項３】
前記挟み部材が、前記アームよりも軟らかくかつスポンジよりも硬い材料で構成されていることを特徴とする請求項１または２記載の布団挟み。
【請求項４】
互いに回動可能に連結され、閉じ方向へ付勢されている一対のアームと、これら一対のアームの先端部に相対向して設けられた一対の挟み部材とを有する布団挟みであって、
前記挟み部材は、その相対向する面の面積が前記アーム先端の面積よりも広い面積を有しているとともに、前記アームよりも軟らかくかつスポンジよりも硬い材料で構成されていることを特徴とする布団挟み。
【請求項５】
前記一対のアームの一部が、前記一対の挟み部材同士の対向面よりも僅かに突出しており、この突出部同士が当接可能であることを特徴とする請求項１〜４のうちいずれか１項に記載の布団挟み。
【発明の詳細な説明】
【技術分野】
【０００１】
本発明は、布団を物干し竿等に掛けた後に布団を挟んで固定するための布団挟みに関する。主として羽毛布団を挟むのに適した布団挟みに関するものである。
【背景技術】
【０００２】
従来の布団挟みとして、互いに回動可能に連結され、閉じ方向へ付勢されている一対のアームと、これら一対のアームの先端部に相対向して設けられた一対の挟み部材とを有する布団挟みが知られている（例えば特許文献１）。
また、アームの先端内側内面にスポンジを設けた布団挟みも知られている（例えば特許文献２）
【特許文献１】実開昭５６−１６４７９３号公報
【特許文献２】実開昭５４−１７６４２６号公報
【発明の開示】
【発明が解決しようとする課題】
【０００３】
布団挟みは、布団を物干し竿等に掛けた後に、布団が物干し竿等からずれ落ちる等しないように布団を挟んで固定するためのもであるから、その一対のアームにはそれに応じた強度が要求される。
したがって、一対のアームは比較的硬質の材料で構成されているが、従来、アームの先端部に一対の挟み部が相対向して設けられた布団挟みにあっては、その挟み部もアームと同じ材料、すなわち比較的硬質の材料で構成されていた。
また、挟み部は、円盤形あるいは長円形であった。
【０００４】
このため、従来の布団挟みでは、布団をやんわりと押さえて固定するということができなかった。
特に、羽毛布団を挟む場合には、羽毛布団がきつく押さえられているように見えるため、羽毛布団に悪影響を与えてしまうのではないかという不安感をユーザーに与えてしまうという難点があった。
なお、アームの先端内側内面にスポンジを設けただけでは、布団がきつく押さえられているように見えるという点では同じであり、またスポンジで挟み部を構成したのでは、軟らかすぎて用をなさない。
【０００５】
したがって、この発明の目的は、布団をやんわりと押さえて固定することができる布団挟みを提供することにある。
【課題を解決するための手段】
【０００６】
上記目的を達成するために、請求項１記載の布団挟みは、互いに回動可能に連結され、閉じ方向へ付勢されている一対のアームと、これら一対のアームの先端部に相対向して設けられた一対の挟み部材とを有する布団挟みであって、
前記挟み部材が放射形状に構成されていることを特徴とする。
請求項２記載の布団挟みは、互いに回動可能に連結され、閉じ方向へ付勢されている一対のアームと、これら一対のアームの先端部に相対向して設けられた一対の挟み部材とを有する布団挟みであって、
前記挟み部材が手のひら形状に構成されていることを特徴とする。
請求項３記載の布団挟みは、請求項１または２記載の布団挟みにおいて、前記挟み部材が、前記アームよりも軟らかくかつスポンジよりも硬い材料で構成されていることを特徴とする。
請求項４記載の布団挟みは、互いに回動可能に連結され、閉じ方向へ付勢されている一対のアームと、これら一対のアームの先端部に相対向して設けられた一対の挟み部材とを有する布団挟みであって、
前記挟み部材は、その相対向する面の面積が前記アーム先端の面積よりも広い面積を有しているとともに、前記アームよりも軟らかくかつスポンジよりも硬い材料で構成されていることを特徴とする。
請求項５記載の布団挟みは、請求項１〜４のうちいずれか１項に記載の布団挟みにおいて、前記一対のアームの一部が、前記一対の挟み部材同士の対向面よりも僅かに突出しており、この突出部同士が当接可能であることを特徴とする。
【発明の効果】
【０００７】
請求項１記載の布団挟みは、互いに回動可能に連結され、閉じ方向へ付勢されている一対のアームと、これら一対のアームの先端部に相対向して設けられた一対の挟み部材とを有する布団挟みであって、前記挟み部材が放射形状に構成されているので、この布団挟みによれば、放射形状の挟み部材によって、布団をやんわりと押さえて固定することができる。
すなわち、挟み部材は、放射形状であるから、従来の円盤形状等の挟み部に比べて可撓性があり、これによって、布団をやんわりと押さえて固定することができる。
したがって、羽毛布団を挟む場合でも、羽毛布団に悪影響を与えてしまうのではないかという不安感をユーザーに与えなくなる。
請求項２記載の布団挟みは、互いに回動可能に連結され、閉じ方向へ付勢されている一対のアームと、これら一対のアームの先端部に相対向して設けられた一対の挟み部材とを有する布団挟みであって、前記挟み部材が手のひら形状に構成されているので、この布団挟みによれば、手の平形状の挟み部材によって、布団をやんわりと押さえて固定することができる。
すなわち、挟み部材は、手の平形状であるから、従来の円盤形状等の挟み部に比べて可撓性があり、これによって、布団をやんわりと押さえて固定することができる。
したがって、羽毛布団を挟む場合でも、羽毛布団に悪影響を与えてしまうのではないかという不安感をユーザーに与えなくなる。
しかも、あたかも手の平で布団を押さえるような状態となるため、ユーザーに一層安心感を与えることができる。
請求項３記載の布団挟みによれば、請求項１または２記載の布団挟みにおいて、前記挟み部材が、前記アームよりも軟らかくかつスポンジよりも硬い材料で構成されているので、その柔軟性によって、布団をより一層やんわりと押さえて固定することができるようになる。
特に、手の平形状の挟み部を前記アームよりも軟らかくかつスポンジよりも硬い材料で構成すると、あたかも手の平で布団を柔らかに押さえるような状態となるため、ユーザーにより一層安心感を与えることができる。
請求項４記載の布団挟みは、互いに回動可能に連結され、閉じ方向へ付勢されている一対のアームと、これら一対のアームの先端部に相対向して設けられた一対の挟み部材とを有する布団挟みであって、前記挟み部材は、その相対向する面の面積が前記アーム先端の面積よりも広い面積を有しているとともに、前記アームよりも軟らかくかつスポンジよりも硬い材料で構成されているので、この布団挟みによれば、適度な柔軟性を有する挟み部材によって、布団をやんわりと押さえて固定することができる。
したがって、羽毛布団を挟む場合でも、羽毛布団に悪影響を与えてしまうのではないかという不安感をユーザーに与えなくなる。
請求項５記載の布団挟みによれば、請求項１〜４のうちいずれか１項に記載の布団挟みにおいて、前記一対のアームの一部が、前記一対の挟み部材同士の対向面よりも僅かに突出しており、この突出部同士が当接可能であるので、さらに次のような作用効果が得られる。
仮に上記のような突出部がなかったとしたならば、布団挟みの不使用時には、一対の挟み部材同士が比較的強く直接当接し合う状態となる。このため、不使用状態が長期にわたると挟み部材が変形してしまうおそれがある。
これに対し、この請求項５記載の布団挟みによれば、前記一対のアームの一部が、前記一対の挟み部材同士の対向面よりも僅かに突出しており、この突出部同士が当接可能であるので、布団挟みの不使用時には、前記突出部同士が当接することとなり、挟み部材同士が比較的強く直接当接し合う状態とはならない。このため、不使用状態が長期にわたったとしても、挟み部材が変形してしまうということがなくなる。
【発明を実施するための最良の形態】
【０００８】
以下本発明の一実施の形態について図面を参照して説明する。
図１は、本発明に係る布団挟みの一実施の形態を示す図で、（ａ）は平面図、（ｂ）は正面図、（ｃ）は左側面図、（ｄ）は底面図である。
図１に示すように、この布団挟みは、共通軸１で互いに回動可能に連結され、図示しない付勢手段で閉じ方向へ付勢されている一対のアーム１０，１０と、これら一対のアーム１０，１０の先端部に相対向して設けられた一対の挟み部材２０，２０とを有しており、挟み部材２０が放射形状（図示のものは手のひら形状）に構成されている。
アーム１０は比較的硬質の材料（例えばポリプロピレン）で構成され、挟み部材２０はアーム１０よりも軟らかくかつスポンジよりも硬い材料（例えばＥＶＡ樹脂あるいはエラストマー樹脂）で構成されている。
【０００９】
図２はアーム１０を示す図で、（ａ）は正面図、（ｂ）は図（ａ）におけるｂ−ｂ端面図、（ｃ）はｃ−ｃ端面図である。
図１および図２に示すように、アーム１０は、内側アーム部材１１と、外側アーム部材１２とを接合し、全体として略パイプ状に構成してある。１３はパーティングラインである。アーム１０は略パイプ状となっているので、ねじり強度が増大している。
内側アーム部材１１の上部には軸受け穴１４が設けられており、この軸受け穴１４に上記共通軸１を挿入することによって、一対のアーム１０が回動可能に連結される。
【００１０】
一対のアーム１０は全く同じ形状であり、図２に示す一方のアームに対し、他方のアーム１０を図２に示す状態から表裏を逆にした状態で上記軸受け穴１４同士を重ね合わせ、これら軸受け穴１４に前記共通軸１を挿入することによって、一対のアーム１０、１０が回動可能に連結される（図１（ａ）参照）。
また、軸受け穴１４の回りには、図示しない付勢部材（例えばねじりバネ）が設けられ、これによって一対のアーム１０は閉じ方向（図１，図２において矢印Ｆ方向）へ付勢されている。
【００１１】
アーム１０の下部には、握り部１５が形成されている。
内側アーム部材１１の下部には、親指以外の４本の指を挿入することができる開口１１ａが設けられているとともに、外側アーム部材１２の下部には、緩やかに凹む凹み部１２ａと、その下部において緩やかに膨らむ膨らみ部１２ｂとが形成されている（結果として握り部１５（図２（ｃ）参照）はアーム１０の上部（図２（ｂ）参照）に比べて緩やかに細目に形成されている）。
これにより、ユーザーが握り部１５を握る際には、ユーザーの手の平が握り部１５に良好にフィットし、アーム１０を無理なく（ユーザー手に負担をかけることなく）容易に開閉することができるようになっている。
【００１２】
内側アーム部材１１の下部には、挟み部材２０の取り付け部１１ｂが形成されている。この取付部１１ｂは前記開口１１ａを形成するように略アーチ形に一体的に形成されている。
この取付部１１ｂには、後述する挟み部材２０の軸部２２が嵌る軸受け部１１ｃが設けられている。軸受け部１１ｃはリブ１１ｄと円弧状の突片１１ｅとで構成されている。
【００１３】
図３は挟み部材２０を示す図で、（ａ）は平面図、（ｂ）は正面図（裏側（手の甲側）側から見た図）、（ｃ）は図（ｂ）における部分省略ｃ−ｃ断面図、（ｄ）は背面図（手のひら側から見た図）、（ｅ）は図（ｄ）における部分省略ｅ−ｅ断面図、（ｆ）は図（ｄ）におけるｆ−ｆ端面図である。
また、図４は挟み部材２０の取付状態を示す部分省略正断面図（図５におけるＩＶ−ＩＶ断面図）、図５は図４におけるＶ−Ｖ断面図である。
【００１４】
図３に示すように、挟み部材２０は手の平形状に構成された一体成型品である。図１からも明らかなように、挟み部材２０は、その相対向する面２１の面積がアーム１０の先端１６（図２，図４参照）の面積よりも広い面積を有している。
図３に示すように、挟み部材２０の背面側には、断面Ｅ字型（図（ｃ）参照）の一対の軸部２２，２２が形成されている。
この軸部２２は、相平行する支持板２３，２３の対向面に水平方向に向けて設けられている。支持板２３は１／４円球状の補強部２４で補強されている。
各指部の裏面側には補強リブ２５が形成されている。
【００１５】
以上のような挟み部材２０は、その軸部２２同士の間隔を押し広げて軸部２２同士の間に、図４および図５において左側からアーム１０の先端１６を通して軸部２２を前記軸受け部１１ｃに嵌め込むことによって図４および図５に示すようにアーム１０に取り付けられる。
取り付けられた状態では、挟み部材２０は、その軸部２２を中心として回動可能である。また、図３に示すように、挟み部材２０の軸部２２にに対向する手の平の部位には開口２６が設けられており、図４および図５に示すように、この開口２６から、アーム１０の先端１６が、一対の挟み部材２０同士の対向面２１よりも僅かに突出した状態となり、この突出部１６同士が当接可能な状態となっている。したがって、不使用時においては、図１（ｂ）（ｄ）に示すように、突出部１６同士が当接した状態となる。
【００１６】
以上のような布団挟みによれば、次のような作用効果が得られる。
（ａ）この布団挟みは、互いに回動可能に連結され、閉じ方向へ付勢されている一対のアーム１０と、これら一対のアーム１０の先端部に相対向して設けられた一対の挟み部材２０とを有する布団挟みであって、挟み部材２０が放射形状に構成されているので、この布団挟みによれば、放射形状の挟み部材２０によって、布団をやんわりと押さえて固定することができる。
すなわち、挟み部材２０は、放射形状であるから、従来の円盤形状等の挟み部に比べて可撓性があり、これによって、布団をやんわりと押さえて固定することができる。
したがって、羽毛布団を挟む場合でも、羽毛布団に悪影響を与えてしまうのではないかという不安感をユーザーに与えなくなる。
（ｂ）この布団挟みは、挟み部材２０が手のひら形状に構成されているので、手の平形状の挟み部材２０によって、布団をやんわりと押さえて固定することができる。
すなわち、挟み部材２０は、手の平形状であるから、従来の円盤形状等の挟み部に比べて可撓性があり、これによって、布団をやんわりと押さえて固定することができる。
したがって、羽毛布団を挟む場合でも、羽毛布団に悪影響を与えてしまうのではないかという不安感をユーザーに与えなくなる。
しかも、あたかも手の平で布団を押さえるような状態となるため、ユーザーに一層安心感を与えることができる。
（ｃ）挟み部材２０が、アーム１０よりも軟らかくかつスポンジよりも硬い材料で構成されているので、その柔軟性によって、布団をより一層やんわりと押さえて固定することができるようになる。
特に、手の平形状の挟み部２０をアーム１０よりも軟らかくかつスポンジよりも硬い材料で構成してあるので、あたかも手の平で布団を柔らかに押さえるような状態となる。このため、ユーザーにより一層安心感を与えることができる。
（ｄ）挟み部材２０は、その相対向する面２１の面積がアーム先端１６の面積よりも広い面積を有しているとともに、アーム１０よりも軟らかくかつスポンジよりも硬い材料で構成されているので、この布団挟みによれば、適度な柔軟性を有する挟み部材２０によって、布団をやんわりと押さえて固定することができる。
したがって、羽毛布団を挟む場合でも、羽毛布団に悪影響を与えてしまうのではないかという不安感をユーザーに与えなくなる。
（ｅ）一対のアーム１０の一部１６が、一対の挟み部材２０同士の対向面２１よりも僅かに突出しており、この突出部１６同士が当接可能であるので、さらに次のような作用効果が得られる。
仮に上記のような突出部１６がなかったとしたならば、布団挟みの不使用時には、一対の挟み部材２０同士が比較的強く直接当接し合う状態となる。このため、不使用状態が長期にわたると挟み部材２０が変形してしまうおそれがある。
これに対し、この実施の形態の布団挟みによれば、一対のアーム１０の一部１６が、一対の挟み部材２０同士の対向面２１よりも僅かに突出しており、この突出部１６同士が当接可能であるので、布団挟みの不使用時には、突出部１６同士が当接することとなり、挟み部材２０同士が強く直接当接し合う状態とはならない。このため、不使用状態が長期にわたったとしても、挟み部材２０が変形してしまうということがなくなる。
【００１７】
以上、本発明の実施の形態について説明したが、本発明は上記の実施の形態に限定されるものではなく、本発明の要旨の範囲内において適宜変形実施可能である。
例えば、図６に示すように、アーム１０は、その割方向を図１（ｂ）に示したものと直交する方向（図１（ａ）において左右に伸びる方向）とすることもできる。また、アーム１０は、ブロー成形によって一体的に構成することもできる。
【図面の簡単な説明】
【００１８】
【図１】本発明に係る布団挟みの一実施の形態を示す図で、（ａ）は平面図、（ｂ）は正面図、（ｃ）は左側面図、（ｄ）は底面図。
【図２】アームを示す図で、（ａ）は正面図、（ｂ）は図（ａ）におけるｂ−ｂ端面図、（ｃ）はｃ−ｃ端面図。
【図３】挟み部材を示す図で、（ａ）は平面図、（ｂ）は正面図（裏側（手の甲側）側から見た図）、（ｃ）は図（ｂ）における部分省略ｃ−ｃ断面図、（ｄ）は背面図（手のひら側から見た図）、（ｅ）は図（ｄ）における部分省略ｅ−ｅ断面図、（ｆ）は図（ｄ）におけるｆ−ｆ端面図。
【図４】挟み部材２０の取付状態を示す部分省略正断面図（図５におけるＩＶ−ＩＶ断面図）。
【図５】図４におけるＶ−Ｖ断面図。
【図６】アーム１０の変形例を示す図。
【符号の説明】
【００１９】
１０    アーム
１６    突出部
２０    挟み部材
２１    対向面
【図１】
2005102828.tif 000003
【図２】
2005102828.tif 000004
【図３】
2005102828.tif 000005
【図４】
2005102828.tif 000006
【図５】
2005102828.tif 000007
【図６】
2005102828.tif 000008